【事件の表示】
　特許第３２２８６８９号「圃場における暗渠形成作業方式ならびにその暗渠形成作業機」の請求項１〜４に係る特許に対する特許異議の申立てについて、次のとおり決定する。
【結　論】
　訂正を認める。
　特許第３２２８６８９号の請求項１〜４に係る特許を維持する。
【理　由】
【１】手続きの経緯
　特許３２２８６８９号の請求項１〜４に係る発明は、平成８年１２月２６日に特許出願され、平成１３年９月７日に特許の設定登録がなされた。
　これに対して、「有限会社ナラ工業」より特許異議の申立てがなされ、取消理由通知がなされ、その指定期間内である平成１４年１０月１１日に訂正請求がなされた。
　
【２】訂正の内容
（１）特許請求の範囲の請求項１〜４を、下記のとおりに訂正
「【請求項１】圃場に対してエンドレスチェンに取り付けられたバケット群を循環駆動することで圃場内部にスリット状の切れ目を施してスリット空間とし、そのバケット群の移動方向変換下端位置におけるチェン輪に取り付けた回転翼によりスリット空間下端部にスリット空間と速通する排水暗渠を形成し、バケット群の作業移動方向後方に配置されていて、かつスリット空間の両側面を整形する整形体を追従させ、この整形体に取り付けたスリット絞り込み体によりスリット空間の深さ方向中間位置を閉塞し、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、前記閉塞部から上の部分を圃場土壌で埋め、閉塞位置から下方位置に排水暗渠を形成することを特徴とする圃場における暗渠形成作業方式。
　【請求項２】上下両端部位置に配置されたチェン輪に掛けられているエンドレスチェンと、これに取り付けられたバケット群と、前記チェン輪の内下端位置にあるチェン輪にその両側に取り付けられた回転翼と、前記バケット群の作業進行方向後方位置に配置されているスリット空間の整形体と、この整形体の中間位置に取り付けられていて、スリット空間を両側から絞り込んでスリット空間を閉塞するスリット絞り込み体とを備え、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、前記バケットが放擲するれき土を閉塞部から上のスリット空間中に充填することできるように構成した無材暗渠形成作業機。
　【請求項３】スリット絞り込み体は、絞り込み板と側面板とからなり、絞り込み板は、　作業進行方向後方になるにつれて幅が広くなる第１の略台形部分と、作業進行方向後方になるにつれ幅が狭くなる第２の略台形部分とからなる略六角形であり、第１の略台形部分の両斜辺部には共に側面板を備えず、第２の略台形部分の両斜辺部にはそれぞれ側面板を備え、絞り込み板の第２の略台形部分と両側面板により形成される内部空間が、作業進行方向前方の幅が広く、後方に向かうに従いその幅が狭くなる構成とされていることを特徴とする請求項２記載の無材暗渠形成作業機。
　【請求項４】バケット群が上昇移動から下降移動に変換する位置でバケット群が掘削した土を移動方向後方に放擲するガイド板があって、放擲方向を側方あるいは後方に選択することができるように構成したことを特徴とする請求項２記載の無材暗渠形成作業機。」
（２）発明の詳細な説明の、段落【００１２】中の「平板状の絞り板４２」を、「平板状の絞り込み板４２」に訂正
　
【３】訂正の適否についての判断
　上記特許請求の範囲の請求項１，２の訂正は、訂正前に記載されていた「スリット絞り込み体」の構成について、「絞り込み板と側面板とからなり、絞り込み板が整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成」されているものに限定したもので、明細書に記載されていた実施例に即して下位概念に限定したものであり、特許請求の範囲の減縮に該当する。
　また、同請求項３の訂正は、同じく「スリット絞り込み体」の構成について、図９や図１１等に記載されていた実施例に即して下位概念に限定したものであり、特許請求の範囲の減縮に該当する。
　さらに、段落【００１２】の訂正は、誤記の訂正を目的とするものであることが明らかである。
　そして、いずれの訂正も、新規事項の追加に該当せず、実質的に特許請求の範囲を拡張又は変更するものでもない。
　以上のとおりであるから、上記訂正は、特許法第１２０条の４第２項に規定する訂正の目的を満たすものであり、かつ、同条第３項で準用する第１２６条第２，３項の規定に適合するので、当該訂正を認める。
　
【４】特許異議申立てについての判断
（１）本件各発明
　本件請求項１〜４に係る発明（以下、「本件各発明」という。）は、上記訂正明細書の請求項１〜４に記載された事項により特定されるとおりのものである。
（２）異議申立ての理由の概要
　申立人は、証拠として下記甲第１〜６号証を提出し、訂正前の請求項１〜４に係る発明は、甲第１〜５号証に記載された発明に基いて当業者が容易に発明をすることができたものであり、特許法第２９条第２項の規定により、特許を受けることができないのものであるから、請求項１〜４に係る発明の特許を取り消すべき旨主張している。
　甲第１号証：実公昭３６−　１０２６号公報
　甲第２号証：実公昭４４−２９４７６号公報
　甲第３号証：実公昭４８−１１９５０号公報
　甲第４号証：実公昭３１−　　　１５号公報
　甲第５号証：実公昭３５−１８４６８号公報
　甲第６号証：特許権者が提出した平成１３年５月９日付け意見書
（３）対比・判断
　訂正後の本件各発明と上記甲第１〜５号証記載のものとを対比すると、甲第１〜５号証記載のものには、少なくとも本件各発明の「スリット絞り込み体」が「絞り込み板と側面板とからなり、絞り込み板が整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成」されている点（以下、「本件特徴構成」という。）について何等記載されておらず、示唆もない。
　そして、本件各発明は、本件特徴構成と他の構成とが相俟って、明細書記載の作用効果を奏するものである。
　本件特徴構成に関して、甲第１号証に記載のものについて、念のため検討する。
　甲第１号証には、本件各発明と一部共通する構成を有する「土中穿孔仕上装置」（本件各発明の「無材暗渠形成作業機」に相当。以下、同じ。）が記載されている。しかし、この「土中穿孔仕上装置」における「閉塞具８，８」（「スリット絞り込み体」）は、第１，２図を参照してもその構成が明確ではない上、「主杆１」（「整形体」）の作業進行方向後方ではなく両側に設けられており、そのような「閉塞具８，８」によりなぜ第３図に記載されたような「空道Ｃ」が形成され、「主杆１」が存在するにも係わらず「溝Ａ」が閉塞されるのか全く不明である。そうすると、記載された技術を把握することが困難な甲第１号証に基づいて、本件特徴構成を当業者が想起することが容易であるとは到底いえない。
　したがって、本件各発明は、甲第１〜５号証に記載された技術に基いて当業者が容易に発明をすることができたものとはいえない。
（４）むすび
　以上のとおりであるから、特許異議申立ての理由及び証拠によっては、本件各発明についての特許を取り消すことはできない。
　また、他に本件各発明についての特許を取消すべき理由を発見しない。
　よって、結論のとおり決定する。
【異議決定日】
平成１５年１月２３日（２００３．１．２３）
【訂正の要旨】
訂正事項
▲１▼　訂正事項ａ
　特許請求の範囲の請求項１を、
　「圃場に対してエンドレスチェンに取り付けられたバケット群を循環駆動することで圃場内部にスリット状の切れ目を施してスリット空間とし、そのバケット群の移動方向変換下端位置におけるチェン輪に取り付けた回転翼によりスリット空間下端部にスリット空間と連通する排水暗渠を形成し、バケット群の作業移動方向後方に配置されていて、かつスリット空間の両側面を整形する整形体を追従させ、この整形体に取り付けたスリット絞り込み体によりスリット空間の深さ方向中間位置を閉塞
し、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、前記
と訂正する。
▲２▼　訂正事項ｂ
　特許請求の範囲の請求項２を、
　「上下両端部位置に配置されたチェン輪に掛けられているエンドレスチェンと、これに取り付けられたバケット群と、前記チェン輪の内下端位置にあるチェン輪にその両側に取り付けられた回転翼と、前記バケット群の作業進行方向後方位置に配置されているスリット空間の整形体と、この整形体の中間位置に取り付けられていて、スリット空間を両側から絞り込んでスリット空間を閉塞するスリット絞り込み体とを備え
、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、
と訂正する。
▲３▼　訂正事項ｃ
　特許請求の範囲の請求項３を、
　「
スリット絞り込み体は、絞り込み板と側面板とからなり、絞り込み板は、作業進行方向後方になるにつれて幅が広くなる第１の略台形部分と、作業進行方向後方になるにつれ幅が狭くなる第２の略台形部分とからなる略六角形であり、第１の略台形部分の両斜辺部には共に側面板を備えず、第２の略台形部分の両斜辺部にはそれぞれ側面板を備え、絞り込み板の第２の略台形部分と両側面板により形成される内部空間が、作業進行方向前方の幅が広く、後方に向かうに従いその幅が狭くなる構成とされていることを特徴とする請求項２に記載の暗渠形成装置。
と訂正する。
▲４▼　訂正事項ｄ
　明細書第【００１２】段落４〜５行目にある「平板状の絞り板４２」を、「平板状の絞り
込み
（５４）【発明の名称】
圃場における暗渠形成作業方式ならびにその暗渠形成作業機
（５７）【特許請求の範囲】
　【請求項１】　圃場に対してエンドレスチェンに取り付けられたバケット群を循環駆動することで圃場内部にスリット状の切れ目を施してスリット空間とし、そのバケット群の移動方向変換下端位置におけるチェン輪に取り付けた回転翼によりスリット空間下端部にスリット空間と連通する排水暗渠を形成し、バケット群の作業移動方向後方に配置されていて、かつスリット空間の両側面を整形する整形体を追従させ、この整形体に取り付けたスリット絞り込み体によりスリット空間の深さ方向中間位置を閉塞
し、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、前記
　【請求項２】　上下両端部位置に配置されたチェン輪に掛けられているエンドレスチェンと、これに取り付けられたバケット群と、前記チェン輪の内下端位置にあるチェン輪にその両側に取り付けられた回転翼と、前記バケット群の作業進行方向後方位置に配置されているスリット空間の整形体と、この整形体の中間位置に取り付けられていて、スリット空間を両側から絞り込んでスリット空間を閉塞するスリット絞り込み体とを備え
、当該スリット絞り込み体は絞り込み板と側面板とからなり、絞り込み板が前記整形体の作業進行方向後方に延びるように取り付けられ、側面に側面板があって、この側面板の間隔が作業進行方向後方に向かって漸次狭くなるように形成されることにより、スリット絞り込み体の内部空間が作業進行方向前方の幅が広く、後方に向かうに従い漸次その幅が狭くなるように構成され、
　【請求項３】　
スリット絞り込み体は、絞り込み板と側面板とからなり、絞り込み板は、作業進行方向後方になるにつれて幅が広くなる第１の略台形部分と、作業進行方向後方になるにつれ幅が狭くなる第２の略台形部分とからなる略六角形であり、第１の略台形部分の両斜辺部には共に側面板を備えず、第２の略台形部分の両斜辺部にはそれぞれ側面板を備え、絞り込み板の第２の略台形部分と両側面板により形成される内部空間が、作業進行方向前方の幅が広く、後方に向かうに従いその幅が狭くなる構成とされていることを特徴とする請求項２記載の無材暗渠形成作業機。
　【請求項４】　バケット群が上昇移動から下降移動に変換する位置でバケット群が掘削した土を移動方向後方に放擲するガイド板があって、放擲方向を側方あるいは後方に選択することができるように構成したことを特徴とする請求項２記載の無材暗渠形成作業機。
【発明の詳細な説明】
　【０００１】
　【発明の属する技術分野】本発明は暗渠形成作業方式ならびに暗渠形成作業機に関し、さらに詳しくは、無材、有材両暗渠の形成に適した暗渠形成作業方式ならびに暗渠形成作業機に関する。
　【０００２】
　【従来の技術】戦後の混乱期を脱し、高度経済成長期を迎えた１９６１年に、日本農業の将来に希望を与えるものとして農業基本法は制定された。この法律は農業経営においても、他の業種と対等の所得が得られる自立経営農家の育成を目的としている。食生活の多様化を前提に自立経営をめざす農家は、需要の伸びる作物を選択して生産し、減少傾向にある農業人口問題を規模拡大により解決しようとするものである。これは農業に市場原理に基づく効率主義を導入したという意味では極めて画期的であった。しかしながら、需要の伸びが期待される作物が必ずしもわが国の風土に定着する保証がないことから、選択作物には独自の農法を開発する必要がある。例えば、伝統的な米は需要が減少はしても消滅することは考えられないから選択作物と、米の輪作体系を確立する必要がある。このような輪作体系を確立するためには、従来の水田の一部を畑にすることが不可欠であり、そのためには、基盤整備や灌漑に加えて排水施設を含む土地改良事業が必要になる。しかし、風土は地域によって異なるために、以上のような農業はその独自の地域農業の開発を待たなければならないところであるが、基本法による農業は中央集権の所産として全国一律の農業の工業化マニュアルを補助金付きで提供しただけのものになっている。したがって、地域ごとの実情を考慮せずに、農業政策を立案した結果、行き詰まり状態に陥っているのが現実である。加えて、ウルグァイラウンド取決めの実施により、過剰気味の米が一段と過剰気味になっており、これにより水田から畑への転換が急速化することが見込まれていることから、数字的には一部の水田は畑作への転換を余儀なくせざるを得ないのである。しかしながら、この転換は思うようには進行せず、結局現状は減反休耕、補助金という甘えの構造を助長しているのである。しかし、ＷＴＯの条約では直接的な補助金は禁止されている関係上、基盤整備の形により畑作転換を助ける必要に迫られているのである。
　【０００３】このような畑作転換や、米作の裏作としての野菜作りなどの輪換を容易に導入するためには圃場の透水、排水を促進することが不可欠である。このためには、暗渠、明渠により圃場の透水、排水を促すのであるが、水分の多い場所では暗渠の方が効率的である。いわゆる縦透水を促すことが不可欠である。従来知られている暗渠形成装置の多くは、サブソイラの犂体に砲弾型の追従体、いわゆる弾丸を取り付けて、これをトラクタにより牽引することで土中の深い位置に弾丸暗渠といわれている空間を形成する形式のものである。とくに、この暗渠は水田圃場から畑作圃場に転換する場合だけに適しているわけではなく、水田圃場の改質改善にも極めて有効であって、昔乾田今湿田と云われているように、理想的な水田は乾田であるが、機械化が進むにつれ、過剰なまでに代掻作業が行なわれることが原因して、理想とした乾田は姿を消し、水田の多くは湿田化してしまい稲の成育の障害となっていて、湿田の改質にも暗渠排水は望ましいものである。
　【０００４】
　【発明が解決しようとする課題】従来知られている暗渠は、その暗渠を土中の内部に空間を形成することで、地表残留水や、土層中の過剰水を縦透水させることで圃場を畑作、あるいは水田として適した水分環境を形成するためであり、かつ湿田の改質を図るものであるから、時間の経過によりその空間が埋没することがないようにすることが必要である。しかしながら、サブソイラの犂体により形成されるスリット上端開口部から圃場表面の土がそのスリット空間に落ち込んで時間の経過とともにスリット空間を閉塞してしまい所期の目的を十分達成することができないことがあった。とくに、泥炭地にあっては圃場表面は粘土質になっていて一旦開いたスリット状の開口部がその内部空間を形成する土のもつ塑性弾性により時間の経過と共に閉塞されることが多く、暗渠の機能を期待することができないことが多かった。また、暗渠部分に素焼きのパイプを埋設して縦透水の水分をこのパイプに集めて排水することも行なわれているが、このパイプの多くは単につき合わせて連続させたものであるために、経年変化により不連続となったりして排水が十分に行なわれなくなることがあり、暗渠として比較的寿命が短い欠点があった。
　【０００５】
　【課題を解決するための手段】そこで、本発明は、エンドレスチェンに多数のバケットを取り付け、これを連続的に垂直面内で移動させ、かつトラクタなどにより水平方向に移動させることでることで圃場に対してスリット空間を形成し、形成されたスリット空間を整形体によりその両面を整え、さらにそのスリット空間の中間位置を絞り込んで上方の区間と、下部の空間とを区画し、上部の空間にはバケット群が掘削した土を充填することで下部の空間を独立したものとし、しかも下部の空間はエンドレスチェンのチェン輪に取り付けた回転翼により掘削させて断面形状が凡そ円形に近いものとして排水管としての機能をもたせるようにすることを特徴とする作業方式であり、かつまたその作業機である。これにより、整形体により内部の土が排除された空間をスリット絞り込み体により絞り込むと共に、上部の空間には掘削バケットが上昇から下降に変化する時放擲される土を充填させることで蓋を施すような状態として、外部からの不要な土の落下を防ぎ、暗渠の閉塞を防止することができるのである。
　【０００６】
　【発明の実施の形態】以下、本発明の実施の形態を作業方式と、その作業に適した作業機について、添付した図面に沿って説明する。まず、添付した図１ないし、図１５に沿って説明する。これらの図において符号ＴＲはトラクタ全体を示し、よく知られているクローラ型のものであって、４本の油圧シリンダ１、２と、この油圧シリンダ２により支えられた支持部材３を介してこれから述べる作業機１０を装着している。この暗渠形成作業機１０は前記支持部材３に支えられている枠体２１をもつ掘削部２０、この掘削部２０の後方位置に配置されている整形体３０、さらには整形体３０に取り付けられている絞込み体４０などにより構成されている。
　【０００７】前記掘削部２０は前記支持部材３により支持されており、垂直方向の平面に沿って支持板２１があり、この支持板２１の上下両端部にチェン輪２２Ｘ、２２Ｙが軸２２Ａ、２２Ｂにより取り付けられており、この支持板２１の周囲を囲んでエンドレス状にチェン２３が前記チェン輪２２Ｘ、２２Ｙ間に掛けられている。このうちチェン輪２２Ｘが駆動輪になっていて、チェン２３が駆動させられることで従動輪であるチェン輪２２Ｙが駆動される。前記駆動輪であるチェン輪２２Ｘと同軸の受動チェン輪（図示省略）に対してトラクタＴＲのＰＴＯ軸（図示省略）により回転させられる伝動チェン４が装架されている。前記支持板２１はエンドレス状のチェン２３の引張側と、弛み側との間隔保持機能ももっている。
　【０００８】このエンドレス状のチェン２３には一定間隔に掘削機能をもつバケット２４が複数取り付けられており、移動方向上昇側がトラクタ寄りにあり、下降側が進行方向後ろ側に位置している。トラクタＴＲの作業進行方向の前側が掘削作用をするので、バケット２４が上昇するときに掘削作用を行ない、上昇移動から下降移動に変換されるところでバケット２４中の土を後で説明する放擲ガイド５０により後方に放擲することができる。
　【０００９】そして、前記チェン輪２２Ｙの支持軸２２Ｂには左右両側に回転翼２５が取り付けられていて、チェン輪２２Ｙが駆動されることで、この回転翼２５が強制的に回転させられる。この回転翼２５は中心部がその幅が最も広く、周縁に向かって幅が狭くなっており、回転軌跡は作業進行方向に向かってほぼ円形になるようになっていて、暗渠の排水パイプの機能が与えられている。
　【００１０】前記エンドレス状のチェン２３が駆動されることで、これに取り付けられているバケット２４が土を掘削することは容易に理解されよう。この掘削作用により圃場内部にスリット状の切れ目（以下、スリット空間という。）Ｓが形成されるのであって、このスリット空間Ｓを含む平面内にスリット空間Ｓの側面を浚え、かつ整形するナイフ状の整形体３０が配置されており、上端部は作業機１０を構成する枠体にピンＰで取り付けされており、このピンＰの位置を選択することで整形体３０が圃場内部に潜り込む深さを選択することができるようになっている。この整形体３０はスリット幅、言い換えると、バケット２４の幅寸法よりやや大きい寸法により対応しており、長さはバケット群の下端よりやや短くなっていて、バケット２４の下端部の方が下方に突出した形になっている。
　【００１１】さらに、前記整形体３０には下端部近くに幅方向に張り出した部分円形の張り出し部３１が張り出しており、前記回転翼２５が形成した円形の空間の内面を整形することができるようになっている。整形体３０の下端部はチゼル３２になっていて、バケットの通過軌跡の底の部分を浚うことができるようになっている。また、整形体３０の下端部には、（前記回転翼２５の通過軌跡に対応させ）半円形に近い張り出し部３１が取り付けられていて、回転翼により形成された空間の内側周面を浚って整形することができるようになっている。
　【００１２】さらに、整形体３０の高さ方向の中間位置には絞り込み体４０が取り付けられており、この絞り込み体４０は図９に示すように整形体３０に沿って取り付けるためのブラケット部４１に連続して平板状の絞り
込み
　【００１３】さらに、前記掘削部２０において掘削されたれき土はバケット２４が上端部において上昇から下降に移動方向を変換する位置を覆って放擲ガイド部５０があり、作業進行方向後方が解放されていて、その解放口には閉塞板５１がヒンジ５１Ａにより取り付けられており、油圧シリンダ５２の伸縮により開閉できるようになっていて、閉塞板５１を閉じると、放擲土は閉塞板５１に当たって側方に放擲され、その閉塞板５１を開くと、閉塞板５１には当たらず、後方に放擲されてスリット空間Ｓの上部空間に充填される。
　【００１４】次に、本発明による作業方式を作業機による作業の説明により詳しく述べることにする。まず、トラクタＴＲに作業機１０を装着するのであって、トラクタＴＲのもつ動力源を利用してその作業機１０は駆動される。そして、掘削部２０が暗渠Ａを形成する上で望ましい深さになるように作業機１０を下げる必要があり、そのためには油圧シリンダ２を収縮させ、油圧シリンダ１を伸長させることで、図１０に示すように掘削部２０を下降させる。そして明渠Ｍから畦Ｚを貫いて作業を開始する（作業進行方向の矢印に向かって）。
　【００１５】これにより掘削部２０はトラクタＴＲの出力により伝動チェン４、チェン輪２２Ｘ、２２Ｙにより駆動されるのであって、作業を行なうにはトラクタＴＲを走らせることが必要である。掘削部２０を駆動し、トラクタＴＲを走らせると、図１２、図１３に示すように、粘土層、犂底盤、さらには泥炭層を切り開き、バケット２４の上昇移動により土を掘削し、チェン２３が上昇過程の頂部において方向変換させられるときにバケット２４内の土、いわゆる放擲土Ｔを後方へと飛ばす。これによりスリット空間Ｓを形成することができる。このスリット空間Ｓの下端位置には回転翼２５の回転により断面形状円形の暗渠部Ａが形成されるとともに、掘削部２０の後を追従している整形体３０がそのスリット空間Ｓの両側面を浚えて壁面を整える。回転翼２５の形状を選択することで任意形状の暗渠部Ａを形成することも可能である。さらに、整形体３０に取り付けられている絞り込み体４０がスリット空間Ｓの両側面をその側面板４３の間の前方の開口部４３Ａからその空間に誘い込み、平面板４２で囲まれる空間内が作業進行方向後方が狭くなっているために両者を強く絞り込み結合させる。これによりスリット空間Ｓの高さ方向中間位置に閉塞部Ｈを形成する。したがって、掘削部２０の通過後の空間は閉塞部Ｈにより上下に二分され、暗渠部Ａは閉塞空間となる。
　【００１６】さらに、掘削部２０におけるバケット２４により掘削された土は、バケット２４が上昇移動から下降移動に変換される頂部において、言い換えると、バケット２４がチェン輪２２Ｘに沿って反転させられるとき、遠心力により放擲ガイド５０を通って後方に放擲させられ、前記スリット空間Ｓの上部空間に落下し、この空間に充填される。図１３に示すように、このスリット空間Ｓ内にもみ殻などの有材心土材を充填する場合には、前記放擲ガイド５０の閉塞板５１の開口を絞り、言い換えると、開閉用の油圧シリンダ５２を伸長させて閉塞板５１の向きを作業進行方向側方に向けて放擲させることでスリット空間Ｓに放擲土Ｔが充填されることがなく開放されたままである。このときには、スリットの底部に素焼きなどの透水性の材料で成型したパイプＰ１を埋設する。パイプＰ１の上には葦などが被せられる。
　【００１７】また、整形体３０の下端部に辺縁形状の似た張り出し部３１があるので、回転翼２５により形成された空間（暗渠部Ａ）の周囲を整形し、形状の変化を防止している。
　【００１８】
　【発明の効果】以上の説明から明らかなように本発明の暗渠形成作業方式、ならびにその作業機によれば、掘削爪としてのバケットによりスリット空間を形成し、このスリット空間の中間位置に閉塞部を形成して、その空間を上下二つに分割し、その上部空間にはバケットにより掘削した土を放擲することで充填して蓋とし、前記スリット空間の絞り込みによる閉塞部より下の部分を空間として、これを暗渠部として圃場表面とは独立したものとして外部からの土の侵入を防止した完全暗渠を形成することができ、寿命の長い暗渠を形成することができる。掘削作業と同時にスリット空間の中間位置に閉塞部を形成して、その上部空間に放擲土を充填するので作業途中においてスリット空間が破壊されることがなく、確実に暗渠を形成することができる。さらに、絞り込み体はスリット空間の両側の土を側面方向から絞り込んで閉塞部を形成するから作業を連続的に行なうことができ、スリット空間は整形体によって両側側面が固定されるので丈夫であり、とくに泥炭地の圃場における作業に適している。チェン輪の駆動とともに、回転翼を回転させるので暗渠部の内面を確実に形成でき、張り出し部によりその内面を固定することもできる。